(57)【要約】【課題】回転するホイールマウントに固定された工具を用いて板状ワークを加工する際に、ホイールマウントに加工屑や加工屑を含む加工水が付着するのを防止する。【解決手段】加工手段３は、研削砥石４ａが固着された研削ホイール４を着脱自在に支持する支持面３０ａを有するホイールマウント３０と、支持面３０ａの反対側の面に連結された回転軸３１と、回転軸３１を回転可能に支持するハウジング３２と、ハウジング３２の外側に配設されホイールマウント３０を覆うマウントカバー３３とを備え、マウントカバー３３には、洗浄水を供給する洗浄水流入口８が形成され、洗浄水流入口８は、マウントカバー３３の内側とホイールマウント３０の外側との間に形成される隙間７に連通している。洗浄水流入口８から洗浄水を流入させて放出させることにより、板状ワークＷを加工する際に加工屑や加工屑の混入した加工水が隙間７に浸入することを防止することができる。【選択図】図１
2013141738.tif 000002
【特許請求の範囲】
【請求項１】
板状ワークを保持する保持面を有する保持手段と、該保持手段に保持された板状ワークを加工する加工手段と、を少なくとも備える加工装置において、
該加工手段は、該保持面に対面する加工具を備えた加工ホイールを着脱自在に支持する支持面を有するホイールマウントと、
該支持面の反対側の面に連結させた回転軸と、
該回転軸を回転可能に支持するハウジングと、
該ハウジングの外側に配設され該ホイールマウントを覆うマウントカバーと、
を備え、
該マウントカバーには、洗浄水を流入させる洗浄水流入口が形成され、該洗浄水流入口は、該マウントカバーの内側と該ホイールマウントの外側との間に形成される隙間に連通している加工装置。
【発明の詳細な説明】
【技術分野】
【０００１】
本発明は、加工水を使用して加工具により板状ワークを加工する加工装置に関する。
【背景技術】
【０００２】
板状ワークを所望の厚みに研削する装置としては、例えば、板状ワークを保持する保持手段と、保持手段によって保持された板状ワークに研削を施す加工手段とを備え、加工水を板状ワークに供給しながら板状ワークを研削する加工装置がある。
【０００３】
上記のような加工装置において、加工手段は、鉛直方向の軸心を有する回転軸と、回転軸を回転可能に支持するハウジングと、回転軸の下端に装着したホイールマウントと、ホイールマウントの下部に取り付けられた研削ホイールと、から少なくとも構成されている（例えば特許文献１参照）。さらに、研削により発生する加工屑やこれを含む加工水がホイールマウントに付着することを防止するために、ホイールマウントを覆うようにしてマウントカバーが配設されているものもある。
【先行技術文献】
【特許文献】
【０００４】
【特許文献１】特開２０１１−２３５３８８号公報
【発明の概要】
【発明が解決しようとする課題】
【０００５】
しかしながら、上記のような加工装置において、ホイールマウントとこれを覆うように配設されるマウントカバーとの間には隙間が存在する。したがって、このような加工装置を用いて板状ワークを研削すると、加工屑や加工時に板状ワークに供給する加工水が回転中のホイールマウントとマウントカバーとの隙間に浸入してしまうことがある。そのため、加工屑やこれを含む加工水がホイールマウントに付着してホイールマウントが汚れてしまい、研削ホイールの交換作業を容易に行うことができないという問題がある。
【０００６】
本発明は、上記の事情に鑑みてなされたものであり、ホイールマウントに加工屑や加工屑を含む加工水が付着することを防止することに発明の解決課題を有している。
【課題を解決するための手段】
【０００７】
本発明は、板状ワークを保持する保持面を有する保持手段と、保持手段に保持された板状ワークを加工する加工手段と、を少なくとも備える加工装置において、加工手段は、保持面に対面する加工具を備えた加工ホイールを着脱自在に支持する支持面を有するホイールマウントと、支持面の反対側の面に連結させた回転軸と、回転軸を回転可能に支持するハウジングと、ハウジングの外側に配設されホイールマウントを覆うマウントカバーと、を備え、マウントカバーには、洗浄水を流入させる洗浄水流入口が形成され、洗浄水流入口はマウントカバーの内側とホイールマウントの外側との間に形成される隙間に連通している。そして、加工水を板状ワークに供給しながら板状ワークを加工する際、洗浄水流入口から隙間に洗浄水を供給することにより、隙間への加工水の浸入を防止することができる。
【発明の効果】
【０００８】
本発明では、加工手段には、加工具が配設された加工ホイールを着脱自在に支持する支持面を有するホイールマウントと、ホイールマウントの支持面と反対の面に連結させ加工ホイールを回転させる回転軸と、回転軸を回転可能に支持するハウジングと、ハウジングの外側に配設されホイールマウントを覆うマウントカバーと、を備え、マウントカバーには、洗浄水を流入させる洗浄水流入口が形成され、洗浄水流入口はマウントカバーの内側とホイールマウントの外側との間に形成される隙間に連通している。したがって、加工水を板状ワークに供給して加工具により板状ワークを加工する際には、洗浄水流入口から隙間に洗浄水を供給することで、隙間に加工屑を含む加工水が浸入することを防止でき、ホイールマウントに加工屑や加工屑を含む加工水が付着するのを防止することができる。
【図面の簡単な説明】
【０００９】
【図１】加工装置の第一例を示す断面図である。
【図２】加工装置の第二例を示す断面図である。
【図３】加工装置の第一例による研削状態を示す断面図である。
【図４】加工装置の第二例による研磨状態を示す断面図である。
【発明を実施するための形態】
【００１０】
図１に示す加工装置１は、加工装置の第一例であり、板状ワークＷに研削を施す加工装置である。加工装置１は、板状ワークＷを保持する保持手段２と、保持手段２に保持された板状ワークＷに研削を施す加工手段３と、を少なくとも備えている。
【００１１】
保持手段２は、板状ワークＷを保持する保持面２０ａを有する保持テーブル２０と、保持テーブル２０の下端に連結した回転軸２１とを備え、回転軸２１には不図示のモータが接続されている。保持手段２が作動すると、回転軸２１を回転させ保持テーブル２０を例えば矢印Ａ方向に回転させることができる。
【００１２】
加工手段３は、研削ホイール４を着脱自在に支持する支持面３０ａを有するホイールマウント３０と、支持面３０ａと反対側の面である上面３０ｂに一端が連結され研削ホイール４を回転させる回転軸３１と、回転軸３１を回転可能に支持するハウジング３２と、ハウジング３２の外側に配設されホイールマウント３０を覆うマウントカバー３３と、回転軸３１の他端に接続されたモータ３４と、を備えている。
【００１３】
図１に示す研削ホイール４の下部には、板状ワークＷを研削するための研削砥石４ａが固着されている。研削ホイール４は、ホイールマウント３０の支持面３０ａに着脱自在に装着することができる。具体的には、ホイールマウント３０には、ボルト６を挿入するための挿入孔が形成され、研削ホイール４にも該挿入孔に対応する位置にねじ穴が形成されている。そして、ホイールマウント３０に形成された挿入孔からボルト６を挿入し、研削ホイール４に形成されたねじ穴にボルト６を螺合させて固定することにより、ホイールマウント３０の支持面３０ａに研削ホイール４を着脱自在に装着することができる。
【００１４】
回転軸３１及びホイールマウント３０の中央部分には、加工水の流路となる加工水供給流路９が形成されており、加工水供給流路９は加工水供給源１１に接続されている。板状ワークＷを研削する際には、加工水供給源１１から供給される加工水が加工水供給流路９を下方に流れ板状ワークＷに向けて供給される。なお、加工装置１の装置構成としては、図１に示すように、保持手段２の近傍において、加工水を供給するノズル１２を配設した場合でもよく、加工水供給流路９を形成することに限定されるものではない。
【００１５】
ハウジング３２の外周側には、マウントカバー３３がホイールマウント３０の上面３０ｂ及び側面３０ｃを覆うように配設されている。図１に示すように、マウントカバー３３には、洗浄水を流入させるための洗浄水流入口８が形成されており、これに洗浄水供給源１０が接続されている。また、マウントカバー３３の下端には、流入した洗浄水を放出するための洗浄水放出口８０が形成されている。
【００１６】
マウントカバー３３の内側とホイールマウント３０の上面３０ｂ及び側面３０ｃとの間には隙間７が形成され、隙間７は、洗浄水流入口８及び洗浄水放出口８０に連通しており、洗浄水が流れる流路となっている。そして、加工装置１により板状ワークＷを加工する際には、洗浄水流入口８から隙間７に洗浄水が供給され、この洗浄水は洗浄水放出口８０から下方に向けて放出される。
【００１７】
加工装置１では、回転軸３１を例えば矢印Ａ方向に回転させると、ホイールマウント３０の支持面３０ａに装着された研削ホイール４を矢印Ａ方向に回転させることができる。また、加工手段３は、図示しない研削送り手段によって矢印Ｂ１及びＢ２方向に昇降させることができる。
【００１８】
図２に示す加工装置１ａは、加工装置の第二例であり、板状ワークＷに研磨を施す加工装置である。加工装置１ａは、板状ワークＷを保持する保持手段２と、保持手段２に保持された板状ワークＷに研磨を施す加工手段３ａと、を少なくとも備えている。そして、加工装置１ａは、図１に示した加工装置１と同様に、ホイールマウント３０の支持面３０ａにおいて研磨パッド５がボルト６により固定されて装着されている。なお、図２においては、図１に示した加工装置１と同様に構成される部位には、図１と共通の符号を付している。
【００１９】
加工装置１ａでは、回転軸３１及び研磨パッド５の中央部分に研磨液の流路となる研磨液供給流路１３が形成されており、研磨液供給流路１３は研磨液供給源１４に接続されている。板状ワークＷを研磨する際には、研磨液供給源１４から供給される研磨液が研磨液供給流路１３を下方に流れ板状ワークＷに向けて供給される。なお、加工装置１の装置構成としては、図２に示すように、保持手段２の近傍において、研磨液を供給するノズル１５を配設した場合でもよく、研磨液供給流路１３を形成することに限定されるものではない。
【００２０】
加工装置１ａでは、回転軸３１を例えば矢印Ａ方向に回転させ、ホイールマウント３０の支持面３０ａに装着された研磨パッド５を矢印Ａ方向に回転させることができる。また、加工手段３ａは、図示しない研磨送り手段によって矢印Ｂ１及びＢ２方向に昇降させることができる。
【００２１】
以下においては、加工装置１及び加工装置１ａの動作例について説明する。
【００２２】
図３に示すように、加工装置１は、保持テーブル２０に板状ワークＷが保持された状態から保持手段２を作動させ、保持テーブル２０を矢印Ａ方向に回転させる。これと同時に、加工手段３を作動させホイールマウント３０の支持面３０ａに装着された研削ホイール４を矢印Ａ方向に回転させつつ、板状ワークＷに向けて研削ホイール４を矢印Ｂ２方向に下降させる。そして、研削ホイール４の下部に固着された研削砥石４ａを板状ワークＷに押圧しながら所望の厚みに至るまで板状ワークＷを研削する。
【００２３】
板状ワークＷの研削中においては、加工水供給源１１から加工水が供給される。加工水は、加工水供給流路９を下方に流れてホイールマウント３０の支持面３０ａから板状ワークＷに向けて供給される。そして、研削により加工屑が生じるとともに、生じた加工屑が加工水に混入する。
【００２４】
上記した加工屑や加工屑の混入した加工水は、回転中の研削ホイール４によって巻き込まれて研削ホイール４の外周側に飛散する。そして、飛散して洗浄水放出口８０付近に上昇してくる加工屑や加工屑の混入した加工水は、隙間７から侵入しうる。そこで、かかる浸入を防止するために、研削中は、常に洗浄水供給源１０から洗浄水流入口８に洗浄水が供給される。そして、その洗浄水は、隙間７を通過して洗浄水放出口８０から放出されるため、下方に向く水圧により、洗浄水放出口８０付近で飛散する加工屑や加工屑の混入した加工水が隙間７に侵入するのを阻止することができる。
【００２５】
図４に示すように、加工装置１ａは、保持テーブル２０に板状ワークＷが保持された状態から保持手段２を作動させ、保持テーブル２０を矢印Ａ方向に回転させる。これと同時に、加工手段３ａを作動させ、ホイールマウント３０の支持面３０ａに装着された研磨パッド５を矢印Ａ方向に回転させつつ、板状ワークＷに向けて研磨パッド５を矢印Ｂ２方向に下降させる。そして、互いに回転する研磨パッド５と板状ワークＷとを摺動させ所望の研磨面に至るまで板状ワークＷを研磨する。なお、板状ワークＷの研磨中には、研磨パッド５と板状ワークＷとが接触するため加工屑が発生する。
【００２６】
加工装置１ａでは、板状ワークＷを良好な研磨面に仕上げるために、研磨中は研磨液が供給される。すなわち、研磨液供給源１４から供給される研磨液は、研磨液供給流路１３を下方に流れて板状ワークＷと研磨パッド５とが摺動する面に供給される。このとき、板状ワークＷと研磨パッド５とが互いに回転しているため、板状ワークＷに供給される研磨液には加工屑が混入することがある。
【００２７】
上記した加工屑や加工屑の混入した研磨液は、回転中の研磨パッド５によって巻き込まれて研磨パッド５の外周側に飛散する。そして、飛散して洗浄水放出口８０付近に上昇してくる加工屑や加工屑の混入した加工水は、隙間７から侵入しうる。そこで、かかる浸入を防止するために、研磨中は、常に洗浄水供給源１０から洗浄水流入口８に洗浄水が供給される。そして、その洗浄水は、隙間７を通過して洗浄水放出口８０から放出されるため、下方に向く水圧により、洗浄水放出口８０付近で飛散する加工屑や加工屑の混入した加工水が隙間７に侵入するのを阻止することができる。仮に、隙間７に加工屑や加工屑の混入した加工水が侵入したとしても、洗浄水によって、加工屑や加工屑の混入した研磨液を押し流すころができる。
【００２８】
このように、加工装置１及び加工装置１ａでは、洗浄水流入口８から隙間７に洗浄水が流入して洗浄水放出口８０から放出されるため、加工屑や加工屑を含む加工水や加工屑を含む研磨液が隙間７に浸入するのを防止でき、加工屑等がホイールマウント３０に付着するのを防止することができる。その結果、ホイールマウント３０が汚れることがなくなり、研削ホイール４や研磨パッド５の交換作業を容易に行うことが可能となる。
【符号の説明】
【００２９】
１，１ａ：加工装置
２：保持手段  ２０：保持テーブル  ２０ａ：保持面  ２１：回転軸
３，３ａ：加工手段  ３０：ホイールマウント  ３０ａ：支持面  ３０ｂ：上面
３０ｃ：側面  ３１：回転軸  ３２：ハウジング  ３３：マウントカバー  ３４：モータ
４：研削ホイール  ４ａ：研削砥石
５：研磨パッド
６：ボルト
７：隙間
８：洗浄水流入口  ８０：洗浄水放出口
９：加工水供給流路
１０：洗浄水供給源
１１：加工水供給源
１２：ノズル
１３：研磨液供給流路
１４：研磨液供給源
１５：ノズル
Ｗ：板状ワーク
【図１】
2013141738.tif 000003
【図２】
2013141738.tif 000004
【図３】
2013141738.tif 000005
【図４】
2013141738.tif 000006